(57)【要約】【課題】許容曲げ半径を確保したケーブルの巻き取り処理を行う際に発生するコストを削減することを可能とする。【解決手段】許容曲げ半径を示す値を２倍した値に円周率をかけた値である最小円周長以上である長さを示す目印をケーブル表面に示す。【選択図】      図７
2015042060.tif 000002
【特許請求の範囲】
【請求項１】
許容曲げ半径を示す値を２倍した値に円周率をかけた値である最小円周長以上である長さを示す目印が表面に示されているケーブル。
【請求項２】
前記長さ毎に示される目印は、予め用意した複数の分類のうち、その目印が示された前記ケーブルの最小円周長が含まれる特定の分類に関して規定されている値が表す長さ毎に示され、該分類毎に目印の模様が異なる
請求項１に記載のケーブル。
【請求項３】
前記長さを隔てた２つの場所に、前記目印が示されている、
請求項１または２に記載のケーブル。
【請求項４】
前記長さである線分状の前記目印が示されている、
請求項１または２に記載のケーブル。
【請求項５】
前記長さを示す数値が、前記目印として表面に示されている、
請求項１乃至４の何れかに記載のケーブル。
【請求項６】
許容曲げ半径を示す値を２倍した値に円周率をかけた値である最小円周長以上である長さを示す目印をケーブル表面に示す、
ケーブルの巻き取り円周長目印の表示方法。
【請求項７】
予め用意した複数の分類のうち、注目するケーブルの最小円周長が含まれる特定の分類を決定し、
決定した特定の分類に関して規定されている値を、前記目印を示す長さとして決定し、
決定した間隔毎に、前記目印として、前記分類毎に異なる模様をなす目印を印す
請求項６に記載のケーブルの巻き取り円周長目印の表示方法。
【請求項８】
前記長さを隔てた２つの場所に、前記目印を示す、
請求項６または７に記載のケーブルの巻き取り円周長目印の表示方法。
【請求項９】
前記長さである線分状の前記目印を示す、
請求項６または７に記載のケーブルの巻き取り円周長用目印の表示方法。
【請求項１０】
前記長さを示す数値を、前記目印として表面に示す、
請求項６乃至９の何れかに記載のケーブルの巻き取り円周長目印の表示方法。
【発明の詳細な説明】
【技術分野】
【０００１】
本願発明は、曲げる際に許容曲げ半径を確保することが必要となるケーブル等に関する。
【背景技術】
【０００２】
電気事業者、あるいは、通信事業者によるケーブル敷設工事においては、ケーブル余長部分を巻き取って空きスペースに置くケーブル余長処理が行われる。この際、許容曲げ半径を確保してケーブル余長処理を行わないと、ケーブルが破損したり信号伝送性能が劣化したりする虞があるため、ケーブルガイド等を使用することにより、許容曲げ半径を確保したケーブル余長処理が行われる。また、未使用のケーブルを巻き取って保管する場合などでも、同様に許容曲げ半径を確保する必要がある。
【０００３】
このようなケーブル巻き取り処理を行うためには、巻き取ったケーブルを収容するスペースが必要となるが、特に小規模な事業所、あるいは、一般家庭においては、スペースを確保することが困難な場合がある。
【０００４】
このような課題に関連する技術として、特許文献１には、光ファイバーケーブルを収容するスペースの大きさに影響されずに、ケーブルの許容曲げ半径以上の径を維持した円弧を作成することができる光ファイバーケーブルガイドが公開されている。
【先行技術文献】
【特許文献】
【０００５】
【特許文献１】特開2006-301204号公報
【発明の概要】
【発明が解決しようとする課題】
【０００６】
特許文献１に開示された技術では、ケーブル巻き取り処理において、ケーブルガイドが必要となるため、そのケーブルガイドに関する機材コストが発生する。ケーブル敷設工事やケーブル保管管理において発生するコストを削減するためには、ケーブルガイドのような治具を使用せずに、許容曲げ半径を確保したケーブル巻き取り処理を行うことが求められる。
【０００７】
本願発明の主たる目的は、上述した課題を解決した、ケーブル及びその巻き取り円周長目印表示方法を提供することである。
【課題を解決するための手段】
【０００８】
本願発明に係るケーブルは、許容曲げ半径を示す値を２倍した値に円周率をかけた値である最小円周長以上である長さを示す目印が表面に示されていることを特徴とする。
【０００９】
上記目的を達成する他の見地において、本願発明の巻き取り円周長目印表示方法は、許容曲げ半径を示す値を２倍した値に円周率をかけた値である最小円周長以上である長さを示す目印をケーブル表面に示すことを特徴とする。
【発明の効果】
【００１０】
本願発明は、許容曲げ半径を確保したケーブルの巻き取り処理を行う際に発生するコストを削減することを可能とする。
【図面の簡単な説明】
【００１１】
【図１】本願発明の第１の実施形態に係るケーブルの外観（ケーブルを伸ばしたとき）を例示する図である。
【図２】本願発明の第１の実施形態に係るケーブルの外観（ケーブルを曲げたとき）を例示する図である。
【図３】本願発明の第２の実施形態に係るケーブルの外観を例示する図である。
【図４】本願発明の第３の実施形態に係るケーブルの外観（矢印線により目印を表示する場合）を例示する図である。
【図５】本願発明の第３の実施形態に係るケーブルの外観（被覆部の塗りつぶしにより目印を表示する場合）を例示する図である。
【図６】本願発明の第４の実施形態に係るケーブルの外観を例示する図である。
【図７】本願発明の第５の実施形態に係るケーブルの外観を例示する図である。
【発明を実施するための形態】
【００１２】
以下、本願発明の実施の形態について図面を参照して詳細に説明する。
【００１３】
＜第１の実施形態＞
図１乃至２は、本発明の第１の実施形態に係るケーブル（線条材）の外観を例示する図である。
【００１４】
図１は、ケーブルを伸ばしたときの外観図である。図１（ａ）に示すケーブル１には、５０ｃｍ間隔で目印１０−１乃至１０−４が表面に示されている。尚、ケーブル１には、４つの目印が表面に示されているが、目印の個数は４つに限定されるわけではない。図１（ｂ）に示すケーブル２には、１００ｃｍ間隔で目印２０−１乃至２０−２が表面に示されている。尚、ケーブル２には、２つの目印が表面に示されているが、目印の個数は２つに限定されるわけではない。
【００１５】
目印１０−１乃至１０−４の形状は、一例として“▲”であり、目印２０−１乃至２０−２の形状は、 “■”であるが、それぞれ、“▲”及び“■”に限定されるわけではない。目印１０−１乃至１０−４、及び、目印２０−１乃至２０−２の形状は、互いに異なる形状であれば、どのような形状でもよい。また、目印１０−１乃至１０−４、及び、目印２０−１乃至２０−２は、互いに色が異なる同一の形状を有してもよい。これらの目印をケーブルの表面に示す方法は、例えば印刷などの現在では一般的な方法を採用することができるので、本実施形態における詳細な説明は省略する。
【００１６】
本実施形態では、許容曲げ半径を示す値を２倍した値に円周率をかけた値である最小円周長が５０ｃｍ以下であるケーブルは、ケーブル１のように、目印１０−１乃至１０−４が示される。また、最小円周長が５０ｃｍより大きく１００ｃｍ以下であるケーブルは、ケーブル２のように、目印２０−１乃至２０−２が示される。図１は、２つのケーブル１乃至２を例示しているが、目印が記される間隔の長さが、５０ｃｍ、及び、１００ｃｍ以外の間隔のケーブルであってもよい。
【００１７】
図２は、ケーブル１を余長処理して曲げたときの状態を例示する外観図である。ケーブル１は、目印１０−１、及び、目印１０−２が重なるように曲げられる。図２には示していないが、ケーブル１は、同様に、目印１０−３乃至目印１０−４が目印１０−１乃至目印１０−２に重なるように曲げられる。
【００１８】
本実施形態に係るケーブル1によれば、許容曲げ半径を確保したケーブルの巻き取り処理を行う際に発生するコストを削減することができる。その理由は、ケーブル1に、最小円周長以上の円弧を描いてケーブルを巻き取る処理を行うための目印を示すことにより、ケーブルガイドのような治具を使用せずに巻き取り処理を行うことが可能となるからである。
【００１９】
通常、ケーブル敷設工事を行う作業員は、許容曲げ半径を確保したケーブル余長処理を行う際に、ケーブルガイドのような治具を使用する。したがって、ケーブル敷設工事において、ケーブルガイドに関する機材コストが発生する。
【００２０】
本実施形態においては、ケーブルの表面に目印が示され、作業員がその目印同士が重なるように円弧を描いてケーブルを巻き取れば、ケーブルの許容曲げ半径が確保される。したがって、本実施形態のケーブルは、治具を使用しないでケーブル余長処理を行うことを可能とし、その結果、治具に関する機材コストを削減することを可能とする。
【００２１】
また、様々な種類のケーブルがあり、一般的に、ケーブルごとに許容曲げ半径が異なる。したがって、種類の異なるケーブルの最小円周長に応じた間隔で目印を示す場合、ケーブル製造装置は、多種類の間隔で目印を記す機能を備える必要があり、この場合、係るケーブル製造装置のコストが上昇する虞がある。そこで、本実施形態の変形例では、例えば設計段階において、ケーブル表面に示す目印の間隔を、許容曲げ半径が異なる複数のケーブル間において共通にする。即ち、ケーブル表面に示す目印の間隔について、複数種類の分類を予め用意しておき、注目するケーブル（分類対象であるケーブル）の最小円周長（許容曲げ半径）が含まれる何れかの分類を特定する。そして、特定された分類に関して規定されている最大の最小円周長（許容曲げ半径）を基に、当該注目するケーブルに示すべき目印の間隔を決定する。このことを換言すると、本変形例において、ケーブルに示される目印は、予め用意した複数の分類のうち、その目印が示されたケーブルの最小円周長が含まれる、特定の分類に関して規定されている値が表す長さ毎に示される。そして、ケーブル種別の判別容易にすべく、当該分類別に異なる模様の目印を採用すればよい。
【００２２】
このような変形例によれば、ケーブル製造装置が目印を記すべき間隔は、取り扱うケーブルの種類は多数であっても、その数より少ない分類の種類数分だけで済むので、ケーブル製造装置のコストを抑えることが可能となる。
【００２３】
さらに、上述した変形例によれば、ケーブルを敷設する作業者は、例え多くの種類のケーブルを扱う場合であっても、その種類より少ない種類の目印に関して覚えれば、１つの目印を確認するだけでケーブルを巻き取る際における円弧の長さを把握することができる。よって、実施形態の変形例に係るケーブルによれば、ケーブル巻き取り処理に関する作業効率を向上（改善）することができる。この変形例は、以下に説明する実施形態にも適用可能である。
＜第２の実施形態＞
次に、本願発明の第２の実施形態について図面を参照して詳細に説明する。
【００２４】
図３は、本実施形態に係るケーブルの外観を例示する図である。本実施形態に示すケーブル３には、５０ｃｍ間隔で目印１０−１乃至１０−４が表面に示されているのに加え、８０ｃｍ間隔で目印３０−１乃至３０−３が表面に示されている。ケーブル３の最小円周長は５０ｃｍ以下の値であり、目印３０−１乃至３０−３は、最小円周長に対して余裕のある長さを示す目印となっている。目印３０−１乃至３０−３の間隔は、８０ｃｍに限定されるわけではない。また、目印１０−１乃至１０−４、及び、目印３０−１乃至３０−３は、互いに異なる形状であれば、どのような形状でもよい。
【００２５】
本実施形態は、第１の実施形態と同様に、許容曲げ半径を確保したケーブル巻き取り処理を行う際に発生するコストを削減することができる。その理由は、ケーブルに、最小円周長以上の円弧を描いてケーブルを巻き取る処理を行うため目印を示すことにより、ケーブルガイドのような治具を使用せずに巻き取り処理を行うことが可能となるからである。
【００２６】
また、本実施形態では、作業員は、ケーブルを置くスペースに余裕がない場合は５０ｃｍの円周長でケーブルを巻き取り、ケーブルを置くスペースに余裕がある場合には、８０ｃｍの円周長でケーブルを巻き取るといった選択をすることができる。ケーブルを巻き取る際の円周長は、ケーブルが破損したり信号伝送性能が劣化したりすることを回避するためには、より長い方が望ましい。したがって、本実施形態では、ケーブルを置くスペースの状況に応じて、より望ましいケーブルの巻き取り処理を行うことが可能となる。  尚、本実施形態では、１つのケーブルに２種類の巻き取り円周長を示す目印が示されている例を示したが、３種類以上の巻き取り円周長を示す目印が示されていてもよい。
【００２７】
＜第３の実施形態＞
次に、本願発明の第３の実施形態について図面を参照して詳細に説明する。
【００２８】
図４乃至５は、本実施形態に係るケーブルの外観を例示する図である。本実施形態においては、第１の実施形態とは異なり、ケーブルには、線分状の目印が示されている。
【００２９】
図４は、矢印線により目印を表示する場合における、ケーブルの外観図である。図４（ａ）に示すケーブル１には、線長が５０ｃｍの矢印線である目印１０−１０乃至１０−１１が、それらの線長と等しい５０ｃｍの間隔をあけて表面に示されている。図４（ｂ）に示すケーブル２には、線長が１００ｃｍの矢印線である目印２０−１０が表面に示されている。
【００３０】
ケーブル１乃至２に記された矢印線は、第１の実施形態においてケーブル１乃至２に示された目印の形状が互いに異なる様に、互いに異なる形状、もしくは太さであってもよい。また、ケーブル１乃至２に示された矢印線は、互いに異なる色であってもよい。
【００３１】
図５は、ケーブル被覆部の塗りつぶしにより目印を表示する場合における、ケーブルの外観図である。図５（ａ）に示すケーブル１には、５０ｃｍの長さでケーブル被覆部が塗りつぶされた目印１０−２０乃至１０−２１が、それらの長さと等しい５０ｃｍの間隔をあけて表面に示されている。図５（ｂ）に示すケーブル２には、１００ｃｍの長さでケーブル被覆部が塗りつぶされた目印２０−２０が表面に示されている。ケーブル１乃至２におけるケーブル被覆部が塗りつぶされた部分は、互いに異なる網掛け模様、もしくは色であってもよい。
【００３２】
尚、本実施形態において、許容曲げ半径を示す値により、ケーブル１乃至２のいずれかにおける目印表示を選択するかの基準は、第１の実施形態と同様である。
【００３３】
本実施形態は、第１及び第２の実施形態と同様に、許容曲げ半径を確保したケーブル巻き取り処理を行う際に発生するコストを削減することができる。その理由は、ケーブルに、最小円周長以上の円弧を描いてケーブルを巻き取る処理を行うため目印を示すことにより、ケーブルガイドのような治具を使用せずに巻き取り処理を行うことが可能となるからである。
【００３４】
また、本実施形態は、ケーブルに示された目印が線分状であるため、第１の実施形態と比較して目印を見逃しにくいという効果を有する。さらに本実施形態は、ケーブル表面が磨耗することにより目印全体が消失することが発生しにくいという効果を有する。
【００３５】
＜第４の実施形態＞
次に、本願発明の第４の実施形態について図面を参照して詳細に説明する。
【００３６】
図６は、本実施形態に係るケーブルの外観を例示する図である。
【００３７】
図６（ａ）に示すケーブル１には、５０ｃｍ間隔で目印１０−３０乃至１０−３３が表面に示されている。図６（ｂ）に示すケーブル２には、１００ｃｍ間隔で目印２０−３０乃至２０−３１が表面に示されている。目印１０−３０乃至１０−３３、及び、目印２０−３０乃至２０−３１は、第１の実施形態において示した記号ではなく、“５０”及び“１００”といった、ケーブルを巻き取る際における円弧の長さを示す数値である。
【００３８】
尚、本実施形態において、許容曲げ半径を示す値により、ケーブル１乃至２のいずれかにおける目印表示を選択するかの基準は、第１及び第２の実施形態と同様である。
【００３９】
本実施形態は、第１乃至第３の実施形態と同様に、許容曲げ半径を確保したケーブル巻き取り処理を行う際に発生するコストを削減することができる。その理由は、ケーブルに、最小円周長以上の円弧を描いてケーブルを巻き取る処理を行うため目印を示すことにより、ケーブルガイドのような治具を使用せずに巻き取り処理を行うことが可能となるからである。
【００４０】
また、本実施形態では、ケーブルに示された目印が、ケーブルを巻き取る際における円弧の長さを示す数値であるため、例えば、第１の実施形態における記号が示す長さを知らない作業員であっても、ケーブルを巻き取る際における円弧の長さを把握することができる効果がある。
【００４１】
＜第５の実施形態＞
次に、本願発明の第５の実施形態について図面を参照して詳細に説明する。
【００４２】
図７は本実施形態に係るケーブルの外観を例示する図である。
【００４３】
ケーブル４には、許容曲げ半径を示す値を２倍した値に円周率をかけた値である最小円周長以上である長さを示す目印４０−１乃至４０−４が、表面に示されている。
【００４４】
尚、目印４０−１乃至４０−４を記す間隔は、最小円周長と等しい場合もあれば、第１及び第３の実施形態と同様に、最小円周長以上であることを満たす複数の長さのいずれかである場合もある。
【００４５】
本実施形態は、第１乃至第４の実施形態と同様に、許容曲げ半径を確保したケーブル巻き取り処理を行う際に発生するコストを削減することができる。その理由は、ケーブルに、最小円周長以上の円弧を描いてケーブルを巻き取る処理を行うための目印を示すことにより、ケーブルガイドのような治具を使用せずに巻き取り処理を行うことが可能となるからである。
【００４６】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【符号の説明】
【００４７】
１    ケーブル
２    ケーブル
３    ケーブル
４    ケーブル
１０−１乃至１０−４    目印
１０−１０乃至１０−１１    目印
１０−２０乃至１０−２１    目印
１０−３０乃至１０−３３    目印
２０−１乃至２０−２    目印
２０−１０    目印
２０−２０    目印
２０−３０乃至２０−３１    目印
３０−１乃至３０−３    目印
４０−１乃至４０−４    目印
【図１】
2015042060.tif 000003
【図２】
2015042060.tif 000004
【図３】
2015042060.tif 000005
【図４】
2015042060.tif 000006
【図５】
2015042060.tif 000007
【図６】
2015042060.tif 000008
【図７】
2015042060.tif 000009